(57)【要約】【課題】コストが低く感知速度が速い、手軽に使える平面接触式温度センサを提供する。【解決手段】この温度センサは、感知部６が、筐体１の一端の内部に嵌設される位置決めブロック６１と、平板状を呈し、その外側面が筐体１の表面に突き出し、周縁が筐体１と接触し合うことなく筐体１の一端に配設されて、位置決めブロック６１と係合される金属押し当て部６２と、金属押し当て部６２の内側面に設けられる温度感知チップ６３と、金属押し当て部６２の内側面に巻いて貼り付けられ、温度感知チップ６３と電気的に接続される２つの伝導線材６４とから構成される。【選択図】図１
0003181840.tif 000002
【実用新案登録請求の範囲】
【請求項１】
筐体と、前記筐体に内設されるプリント回路板と、前記筐体の側面に設けられ、前記プリント回路板と電気的に接続されるディスプレイ部及び制御スイッチと、前記筐体に内設され、前記プリント回路板と電気的に接続される電源供給装置と、前記筐体の一端に設けられ、前記プリント回路板と電気的に接続される感知部とを備える温度センサにおいて、
前記感知部は、
前記筐体の一端の内部に嵌設される位置決めブロックと、
平板状を呈し、その外側面が前記筐体の表面に突き出し、周縁が前記筐体と接触し合うことなく前記筐体の一端に配設され、前記位置決めブロックと係合される金属押し当て部と、
前記金属押し当て部の内側面に設けられる温度感知チップと、
前記金属押し当て部の内側面に巻いて貼り付けられ、前記温度感知チップと電気的に接続される２つの伝導線材と、
により構成され、
前記位置決めブロックの周縁に前記位置決めブロックの表面から突き出る複数の位置決めロッドが設けられ、前記金属押し当て部の周縁に前記位置決めロッドに対応して、前記位置決めロッドと係合される複数の位置決め片が設けられて、前記金属押し当て部の内表面が前記位置決めブロックと接触しないようにした、
ことを特徴とする平面接触式温度センサ。
【請求項２】
前記位置決めブロックの中央に貫通穴が設けられ、前記伝導線材が前記貫通穴を通過して前記プリント回路板と電気的に接続されることを特徴とする請求項１に記載の平面接触式温度センサ。
【請求項３】
前記筐体の内側に、前記プリント回路板と電気的に連接され、現時点での状態を使用者に注意するためのブザーが設けられることを特徴とする請求項１に記載の平面接触式温度センサ。
【請求項４】
前記伝導線材は、渦巻状に巻く方式、花びら状に巻く方式、多角星状に巻く方式のいずれか一つの巻く方式で、前記金属押し当て部の内側面に設けられることを特徴とする請求項１に記載の平面接触式温度センサ。
【請求項５】
前記電源供給装置は少なくとも１つの電池であることを特徴とする請求項１に記載の平面接触式温度センサ。
【請求項６】
前記筐体は上部筐体と、前記上部筐体と合わせる下部筐体とにより形成され、前記上部筐体の前記位置決めブロックに対応するところに前記位置決めブロックの一端を嵌接させるための第一位置決め溝が設けられ、前記下部筐体の前記位置決めブロックに対応するところに前記位置決めブロックの一端を嵌接させるための第二位置決め溝が設けられることを特徴とする請求項１に記載の平面接触式温度センサ。
【請求項７】
前記上部筐体及び前記下部筐体の一端の外側に環状を呈する装飾的な位置決め部材が係合可能に設けられることを特徴とする請求項６に記載の平面接触式温度センサ。
【考案の詳細な説明】
【技術分野】
【０００１】
本考案は、平面接触式温度センサに関する。
【背景技術】
【０００２】
現在、市場での体温測定製品というと三つの例が挙げられる。一つ目は水銀式の体温計、二つ目はサーミスタ式の電子体温計、三つ目は赤外線式の耳体温計である。耳体温計の鼓膜温以外では、一般の体温計は計測端の型式によって額温、舌下温、腋窩温、直腸温などを測定する方法がある。
【０００３】
従来の水銀式温度計或いは電子体温計を用いて温度を計測する場合、測定結果が出るまでに、しばらくの間、時間にして３分から５分の間待つ必要がある。また、口腔、腋窩、或いは肛門などは細菌が多くて感染しやすいところであるため、病気をうつしたり病気に感染したりする恐れがある。そこで、ここ数年は赤外線式体温計で体温を測定するようになっている。耳体温計は安全で信頼でき、且つ瞬時に体温が得られるため人気が集まっている。耳体温計で体温を計測するときわめて短い時間で体温の測定が完了するので、子供或いは病気の児童に対しては、耳体温計が水銀式体温計や電子体温計よりも実に利便性がある。
他面で、耳体温計は人体表面から出ている赤外線を検知することにより黒体放射の原理から体温を測定するため、外来物質や操作ミスには影響されやすく、また、測定誤差が生じやすい問題がある。また、耳が不自由な人達に対しては、耳体温計で体温を測定する方式は向かない。そこで、耳体温計の赤外線測定方式を応用して、被測定者の額で測定するようにした赤外線式額体温計を出す業者もいる。
【考案の概要】
【考案が解決しようとする課題】
【０００４】
ところで、耳体温計といい、額体温計といい、従来の赤外線センサーを用いて測定する体温計は他の方式の体温計と比べて高性能であるが、その分コストが高いので、耳体温計や額体温計は高価である。この点が消費者のニーズに合わないため、この種の体温計の利用が促進されていないという問題がある。
【０００５】
そこで、本考案は、このような従来の問題点に鑑みなされたもので、製品の価格がユーザーのニーズに適合し（言い換えれば、コストが低く）、感知効果及び速度に影響を与えることがない（言い換えれば、感知速度が速い）、手軽に使える平面接触式温度センサを提供することを目的とする。
【課題を解決するための手段】
【０００６】
上記問題点を解決して、上記目的を達成するために、本考案は、筐体と、前記筐体に内設されるプリント回路板と、前記筐体の側面に設けられ、且つ前記プリント回路板と電気的に連接されるディスプレイ部と制御スイッチと、前記筐体に内設され、且つ前記プリント回路板と電気的に連接される電源供給装置と、前記筐体の一端に設けられ、且つ前記プリント回路板と電気的に連接される感知部を備える温度センサにおいて、前記感知部は、前記筐体の一端の内部に嵌設される位置決めブロックと、前記位置決めブロックと係合されて外側面が前記筐体の表面に突き出、且つ周縁が前記筐体と接触し合わなくて平板状を呈する金属押し当て部と、前記金属押し当て部の内側面に設けられる温度感知チップと、前記温度感知チップと電気的に連接されて前記金属押し当て部の内側面に巻いて貼り付けられる２つの伝導線材から構成され、前記位置決めブロックの周縁には前記位置決めブロックの表面に突き出る複数の位置決めロッドが設けられ、また、前記金属押し当て部の周縁には前記位置決めロッドに対応し、且つ前記金属押し当て部の内表面を前記位置決めブロックと接触しないように前記位置決めロッドと係合される複数の位置決め片が設けられる、ことを要旨とする。
また、この平面接触式温度センサは、さらに次のような構成を採用されることが好ましい。
（１）前記位置決めブロックの中央にはさらに前記伝導線材を通過させて前記プリント回路板と電気的に連接させるように貫通穴が設けられる。
（２）前記筐体の内側にはさらに前記プリント回路板と電気的に連接され、現時点での状態を使用者に注意するためのブザーが設けられる。
（３）前記伝導線材は、渦巻状に巻く方式、花びら状に巻く方式、多角星状に巻く方式のいずれか一つの巻く方式で前記金属押し当て部の内側面に設けられる。
（４）前記電源供給装置は少なくとも1つの電池である。
（５）前記筐体は上部筐体と、前記上部筐体と合わせる下部筐体から形成され、前記上部筐体の前記位置決めブロックに対応するところにさらに前記位置決めブロックの一端を嵌接させるための第一位置決め溝が設けられ、また、前記下部筐体の前記位置決めブロックに対応するところにさらに前記位置決めブロックの一端を嵌接させるための第二位置決め溝が設けられる。
（６）前記上部筐体及び前記下部筐体の一端の外側にさらに環状を呈する装飾的な位置決め部材が係合されるように設けられる。
【考案の効果】
【０００７】
本考案の平面接触式温度センサによれば、上記の各構成により、次のような効果を奏する。
（１）本考案では、位置決めブロック、平板状を呈する金属押し当て部、温度感知チップ、及び金属押し当て部の内側面に巻いて貼り付けられる２つの伝導線材により感知部を組立てる構造であり、金属押し当て部が被測定部分と接触する際に大面積の接触が可能であること、且つ肌と接触した時に温度感知チップと伝導線材が同時に加熱作用を起こせることにより、温度感知チップが吸収した熱量は伝導線材により分散されることなく迅速加熱という目的を達成するため、測定時間が短縮できて利用しやすい。
（２）本考案では、位置決めブロックの位置決めロッドと金属押し当て部の位置決め片を組合わせることにより、金属押し当て部の内表面を位置決めブロックに接触しなくなるため、伝熱量が低減することで温度感知チップの測定した温度をより精確に実現する。
【図面の簡単な説明】
【０００８】
【図１】本考案の一実施の形態に係る平面接触式温度センサの構成を示す斜視図
【図２】同温度センサの各部の構成を示す分解斜視図
【図３】同温度センサの要部の構造を示す部分断面斜視図
【図４】同温度センサの使用時の動作を示す図
【考案を実施するための形態】
【０００９】
次に、この考案を実施するための形態について図を用いて説明する。図１は平面接触式温度センサの全体の構成を示し、図２はこの温度センサの各部の構成を示し、図３はこの温度センサの要部の構造を示している。図４はこの温度センサの使用時の動作を示している。
【００１０】
図１に示すように、平面接触式温度センサは、筐体１と、筐体１に内設されるプリント回路板２と、筐体１の側面に設けられ、プリント回路板２と電気的に接続されるディスプレイ部３及び制御スイッチ４と、筐体１に内設され、プリント回路板２と電気的に接続される電源供給装置５と、筐体１の一端に設けられ、プリント回路板２と電気的に接続される感知部６とを備える。
この温度センサの感知部６は、筐体１の一端の内部に嵌設される位置決めブロック６１と、平板状を呈し、その外側面が筐体１の表面に突き出し、周縁が筐体１と接触し合うことなく筐体１の一端に配設されて、位置決めブロック６１と係合される金属押し当て部６２と、金属押し当て部６２の内側面に設けられる温度感知チップ６３と、金属押し当て部６２の内側面に巻いて貼り付けられ、温度感知チップ６３と電気的に接続される２つの伝導線材６４とにより構成される。
【００１１】
また、この温度センサは各部に次のような構成を有する。
（１）図２に示すように、位置決めブロック６１の周縁には位置決めブロック６１の表面から突き出る複数の位置決めロッド６１１が設けられ、また、金属押し当て部６２の周縁には位置決めブロック６１の位置決めロッド６１１に対応して、各位置決めロッド６１１と係合される複数の位置決め片６２１が設けられて、金属押し当て部６２の内側表面が位置決めブロック６１と接触しないようにしている。位置決めブロック６１の中央には貫通穴６１２が設けられ、伝導線材６４がこの貫通穴６１２を通過してプリント回路板２と電気的に接続される。伝導線材６４の巻く方式は、渦巻状に巻く方式、花びら状に巻く方式（図面に掲載されていない）、多角星状に巻く方式（図面に掲載されていない）のいずれか一つで、金属押し当て部６２の内側面に設けられる。
（２）筐体１の内側には、プリント回路板２と電気的に接続され、現時点での状態を使用者に注意するためのブザー７が設けられる。
（３）電源供給装置５は少なくとも１つの電池５１が使用される。
（４）筐体１は上部筐体１１と、上部筐体１１と合わせる下部筐体１２とから形成され、上部筐体１１の位置決めブロック６１に対応するところに位置決めブロック６１の一端を嵌接させるための第一位置決め溝１１１が設けられ、下部筐体１２の位置決めブロック６１に対応するところに位置決めブロック６１の一端を嵌接させるための第二位置決め溝１２１が設けられる。上部筐体１１及び下部筐体１２の一端の外側にさらに環状を呈する装飾的な位置決め部材１３が係合可能に設けられる。
【００１２】
このように平面接触式温度センサは、図３に示すように、感知部６が、位置決めブロック６１、平板状を呈する金属押し当て部６２、温度感知チップ６３、及び金属押し当て部６２の内側面に巻いて貼り付けられる２つの伝導線材６４により組み立てられた構造であり、図４に示すように、金属押し当て部６２が被測定部分と接触する際に大面積の接触が可能であり、肌と接触した時に温度感知チップ６３と伝導線材６４が同時に加熱作用を起こすことにより、温度感知チップ６３が吸収した熱量は伝導線材６４により分散されることなく迅速加熱するようになっていて、短時間（約５〜６秒）で温度が測定でき、非赤外線式の電子体温計（約３〜５分）に対して、大幅に測定時間を短縮することができる。したがって、この温度センサはコストを低くでき、感知速度が早いといったメリットがあるので、利用しやすく、消費者の利用を促進しやすくすることができる。
【００１３】
また、この温度センサはさらに各部の構成により次のような作用を有する。図２参照。
（１）感知部６は、大きい測定誤差を防ぐために、位置決めブロック６１の位置決めロッド６１１と金属押し当て部６２の位置決め片６２１を組み合わせ、金属押し当て部６２の内表面が位置決めブロック６１に接触しないようにして、手の温度が筐体１より伝導されて感知部６に影響するのを回避するため、伝熱量が低減することにより温度感知チップ６３の測定した温度をより精確に実現することができる。位置決めブロック６１の中央に伝導線材６４を通過させるための貫通穴６１２が設けられているので、伝導線材６４とプリント回路板２が接続しやすく、外来温度の影響を避けることが可能である。伝導線材６４は、渦巻状に巻く方式、花びら状に巻く方式（図面に掲載されていない）、多角星状に巻く方式（図面に掲載されていない）など異なる設置方式が採用されるので、温度感知チップ６３の需要に合わせて、製品を正常に動作させることができる。
（２）筐体１の内側にプリント回路板２と電気的に接続され、現時点での状態を使用者に注意するためのブザー７が併せて設けられるので、このブザー７を使用することにより、動作開始、測定完了などの現時点での状態を使用者に注意することができ、使いやすい。
（３）電源供給装置５に基本的な電池５１が使用されることにより、この温度センサが消費者にして使いやすく、後続する使用上の問題の発生を心配することがないので、この温度センサの利用を促進する際に有利になる。
（４）筐体１は上部筐体１１と下部筐体１２を組み合せて形成されるので、この温度センサの組み立て、生産、メンテナンスの際に便利であり、低コストでもあるので、手軽に買えて使いやすいというメリットがある。また、第一位置決め溝１１１及び第二位置決め溝１２１の組み合せにより、位置決めブロック６１を安定して固定することができ、金属押し当て部６２がぐらついて測定結果に影響することがない。上部筐体１１及び下部筐体１２の一端に装飾的な位置決め部材１３が設けられることにより、上部筐体１１と下部筐体１２がより密接に接合されるとともに、この温度センサの外観に美観を添えることもでき、消費者が手軽に携えて使用することができる。
【００１４】
以上説明したように、この温度センサは、感知部６が、位置決めブロック６１、平板状を呈する金属押し当て部６２、温度感知チップ６３、及び金属押し当て部６２の内側面に巻いて貼り付けられる２つの伝導線材６４により組み立てられた構造であり、金属押し当て部６２が被測定部分と接触する際に大面積の接触が可能であり、肌と接触した時に温度感知チップ６３と伝導線材６４が同時に加熱作用を起こすことにより、温度感知チップ６３が吸収した熱量は伝導線材６４により分散されることなく迅速加熱するようになっているので、温度の測定時間を短縮でき、消費者に利用しやすくすることができる。
また、位置決めブロック６１の位置決めロッド６１１と金属押し当て部６２の位置決め片６２１の組み合わせにより、金属押し当て部６２の内表面と位置決めブロック６１が接触しなくなり、外来温度の影響を低減することができるので、従来の電子体温計より産業上の利用性、有利な効果、実用性のいずれの点でも有利である。
【００１５】
なお、以上の各実施の形態は、本考案の構造と、特徴及び作用効果を説明するために用いられるものであり、新規性や進歩性といった要件を満たしているため、法律の規定による実用新案登録出願を行う。また、上述では本考案の好ましい実施例を開示したに過ぎず、それを以って、本考案の実用新案登録請求の範囲が制限されることは無く、この分野の技術者が、本考案の実施の形態を理解したうえ、本考案の思想を逸脱することなく種々の改造やそれと同じ置き換えを行っても、それはすべて本考案の範囲に含まれるものである。
【符号の説明】
【００１６】
１  筐体
１１  上部筐体
１１１  第一位置決め溝
１２  下部筐体
１２１  第二位置決め溝
１３  装飾的な位置決め部材
２  プリント回路板
３  ディスプレイ部
４  制御スイッチ
５  電源供給装置
５１  電池
６  感知部
６１  位置決めブロック
６１１  位置決めロッド
６１２  貫通穴
６２  金属押し当て部
６２１  位置決め片
６３  温度感知チップ
６４  伝導線材
７  ブザー
【図１】
0003181840.tif 000003
【図２】
0003181840.tif 000004
【図３】
0003181840.tif 000005
【図４】
0003181840.tif 000006